(57)【要約】【課題】冷蔵庫の各所に設置可能で、且つ大きく引き出さなくても収納物を取り出し易い収納ケースを備えることで、使い勝手の向上した冷蔵庫を提供することを目的とする。【解決手段】貯蔵室内の空間を上下に区画する複数の棚を備えた冷蔵庫において、卵を収納する卵トレイと、該卵トレイを収める移動自在の収納ケースと、該収納ケースの前壁に設けられた把持部と、を備え、前記前壁は前記区画された空間にあわせた高さであり、前記収納ケースの側壁は前記前壁の高さよりも低い部分を有することを特徴とする。【選択図】  図１ａ
2012032068.tif 000002
【特許請求の範囲】
【請求項１】
貯蔵室内の空間を上下に区画する複数の棚を備えた冷蔵庫において、
卵を収納する卵トレイと、該卵トレイを収める移動自在の収納ケースと、該収納ケースの前壁に設けられた把持部と、を備え、前記前壁は前記区画された空間にあわせた高さであり、前記収納ケースの側壁は前記前壁の高さよりも低い部分を有することを特徴とする冷蔵庫。
【請求項２】
前記側壁は前記前壁に近い側ほど高い傾斜部を有し、該傾斜部の後方から後壁にわたって低壁部を有することを特徴とする、請求項１記載の冷蔵庫。
【発明の詳細な説明】
【技術分野】
【０００１】
本発明は、冷蔵庫に関する。
【背景技術】
【０００２】
一般的に、冷蔵庫は、卵を保持して収容可能な卵トレイを備える。卵トレイには、穴が複数設けられており、その穴に卵又は卵パックの下方突起部分を１個ずつ保持する。ここで、卵パックとは、複数個の卵を収納して販売するための、プラスチック製の包装容器である。
【０００３】
本技術分野の背景技術として、特許第４３５３３１２号公報（特許文献１）がある。特許文献１には、物を貯蔵する貯蔵室と、貯蔵室内に設置される引き出し式の卵収容ケースとを備える冷蔵庫であって、卵収容ケースは、水平面内に広がる板状部と、板状部と一体に設けられ、板状部の周縁に垂直方向に伸びる壁部と、板状部の下方へ膨出状に凹陥し、卵を保持する複数の保持部とを備えたことが記載されている。
【先行技術文献】
【特許文献】
【０００４】
【特許文献１】特許第４３５３３１２号公報
【発明の概要】
【発明が解決しようとする課題】
【０００５】
特許文献１の構成では、引き出し後に再び定位置に収めねばならい。また、卵を取り出す場合、引き出し上方の棚の先端よりも大きく引き出して開ける動作が必要であった。また、収納ケース底部の凹陥部の高さは無効空間となってしまう。また、凹陥部の影響により、例えば缶飲料などを安定して収納することができないことが考えられる。
【０００６】
そこで本発明は、冷蔵庫の各所に設置可能で、且つ大きく引き出さなくても収納物を取り出し易い収納ケースを備えることで、使い勝手の向上した冷蔵庫を提供することを目的とする。
【課題を解決するための手段】
【０００７】
上記課題を解決するために、例えば特許請求の範囲に記載の構成を採用する。本願は上記課題を解決する手段を複数含んでいるが、その一例を挙げるならば、貯蔵室内の空間を上下に区画する複数の棚を備えた冷蔵庫において、卵を収納する卵トレイと、該卵トレイを収める移動自在の収納ケースと、該収納ケースの前壁に設けられた把持部と、を備え、前記前壁は前記区画された空間にあわせた高さであり、前記収納ケースの側壁は前記前壁の高さよりも低い部分を有することを特徴とする。
【発明の効果】
【０００８】
本発明によれば、冷蔵庫の各所に設置可能で、且つ大きく引き出さなくても収納物を取り出し易い収納ケースを備えることで、使い勝手の向上した冷蔵庫を提供することができる。
【図面の簡単な説明】
【０００９】
【図１ａ】本発明の実施例に係る収納ケースの斜視図。
【図１ｂ】本発明の実施例に係る収納ケースの平面図。
【図２】冷蔵庫の一般的な構成を示す部分斜視図。
【図３ａ】本発明の実施例に係る収納ケースの使用状態の例を示す斜視図。
【図３ｂ】本発明の実施例に係る収納ケースの使用状態の例を示す斜視図。
【図４】本発明の実施例に係る収納ケースの配置例を示す部分正面図。
【図５】本発明の実施例に係る収納ケースの配置例を示す部分正面図。
【図６】比較例の収納ケースの斜視図。
【発明を実施するための形態】
【００１０】
まず本実施例に係る冷蔵庫を、図２を用いて説明する。
【００１１】
図２に示すように、本実施例に係る冷蔵庫１は、断熱材を内蔵した冷蔵庫筺体２の前面の開放部３を覆うように開閉扉４を取り付けている。冷蔵庫１は、冷蔵庫筺体２の収納部６を仕切り板５で複数に分割し、その分割された複数の収納部６を開閉扉４または図示しない引出扉で覆う構造を採用している。この実施例では、ヒンジ機構７を介して片方開きまたは両開きで開閉可能な開閉扉４に適用することができる。この実施例では、最上部に形成される冷蔵室（収納部６）の前面を観音開きの開閉扉４で構成した冷蔵庫１の事例で説明している。もちろん、冷蔵庫筺体２の前面部を１枚の開閉扉で構成した１ドアタイプの冷蔵庫に適用することもできる。
【００１２】
開閉扉４は、その内部面８に複数の扉収納容器１００を上下に備えている。例えば、この実施例では、最下部にペットボトルやビン類を収納することができるバスケット１０１を設け、その上部に卵やチューブ類などの小物食品を収納することができるポケット１１０を１個または複数個設けている。また、この実施例では、バスケットを固定して設けているが、ポケット１１０は、図示しない取付構造にて取り付ける高さを調整することができる。
【００１３】
さらに、冷蔵室（収納部６）には、食品などを整理して収容するための複数の棚８０が左側面から右側面に渡って架橋状に設置されている。これら複数の棚８０により、冷蔵室内に複数段に亘る収納空間が形成されている。これら棚８０の間隔は、収納する食品を基準に定められ、本実施例では各棚に３５０mlの缶飲料が入る寸法に調整できる。
【００１４】
次に、収納ケース１０について説明する。図１ａ，図１ｂに示すように、収納ケース１０の前壁には、保持しやすい縦長の把持部１６（取っ手）を備える。また、把持部１６が備えられる前壁１７は、棚８０で区画された空間に収まる高さとしている。そして、使用者が保持しやすくするために、把持部１６は可能な限り大きく形成する。本実施例では、前壁１７の設置面からの高さＨ１は、３５０mlの缶飲料（高さ寸法は約１２０mm）と略同等寸法に合わせた１２０mmとしている。但し、収納ケース１０内の高さ寸法が１１０mmのため、この内部に３５０mlの缶飲料を収納する場合は、棚８０で形成された収納空間の高さ寸法を１３０mm以上に調整する必要がある。把持部１６の手が入る部分の長さＬ１は、一般的な使用者が、指を４本入れて握れる寸法の１００mmとしている。
【００１５】
また、収納ケース１０は、前壁１７と対向する後壁１８の高さを低くして、前壁１７，後壁１８を繋ぐ側壁１９，２０で壁面高さを変化させている。本実施例では後壁１８の設置面からの高さＨ２を６５mm（収納ケース１０内の高さ寸法６０mm）とし、側壁１９，２０の壁面が低い部位の長さＬ２を、収納部長さ２６０mmの約半分である約１３０mmとしている。
【００１６】
なお、図３ａに示すように、Ｈ２の寸法を６５mmとすることで、卵を取り出す際に収納ケース１０の後壁１８，側壁１９，２０の上端が邪魔にならない。すなわち、鶏の卵の一般的な高さ寸法は６０mm前後であり、卵トレイ１１に卵を載置して収納した場合、７０mm前後となる。すると、収納ケース１０内の高さ寸法６０mmよりも１０mm前後高くなり、取り出しが容易となる。
【００１７】
また、図３ｂに示すように、収納ケース１０に収納した高さ寸法の高い缶飲料が倒れ難いように、例えば１９０ml缶飲料の高さ寸法（約１０５mm）の半分以上の壁面高さにしている。尚、１９０ml缶飲料の直径は約５０mmであるので、後壁１８の高さの低い部分の上端から上方の空間の隙間寸法（Ｈ１寸法の約１２０mmからＨ２寸法の６５mmを減じた５５mm）よりも小さく、収納ケース１０を引き出すことなく収納ケース１０を取り出すことが可能である。実際には、収納ケース１０と真上の棚８０との間には、通常１０mm以上のスペースが空けられるので、取り出しスペースは更に余裕がある。
【００１８】
さらに、後壁１８の設置面からの高さＨ２を６５mm（収納ケース１０内の高さ寸法６０mm）としたことにより、卵及び小物食品であれば、収納ケース１０を引き出すことなく、後壁１８の高さの低い部分から取り出すことが可能となる。
【００１９】
これは、収納ケース１０が図４及び図５のように、把持部１６を手前に向けた状態で配置されていても、収納ケース１０の横を棚８０に設置した別の食品が邪魔をしない状態であれば、収納ケース１０を引き出すことなく側壁１９，２０高さの低い部分から取り出し可能となる。
【００２０】
また、卵以外の小物食品、例えば１９０ml缶飲料も安定して収納可能となり、冷蔵庫の使い勝手を向上できる。
【００２１】
Ｈ１とＨ２の夫々の高さの壁面を繋ぐ部分は、図１のとおり、傾斜した部分を有している。これによって、高さ寸法の低い収納物を入れた状態で、棚８０の下の空間に収納ケース１０を収納する際、上方の棚８０にＨ１寸法の高さの高い壁面が衝突することを防止して、傾斜部により滑らかに接触し摺動しながら収納させることができる。高さの高い壁面が衝突するのを防止することによって、収納した収納物が倒れたり散乱したりするのを防止できる。
【００２２】
また、冷蔵庫は機種によって大きさに差があり、奥行きの浅い機種がある。そのため、奥行きの浅い機種に入れても扉収納容器１００に入れた食品等と干渉せず、かつ卵パックを収納するための奥行きが必要である。本実施例では、収納部の長さＬ３を約２６０mm、把持部１６まで含めた全体の奥行きＬ４を約３０５mmとしている。
【００２３】
次に収納ケースの使用例、形状について図３を用いて説明する。なお、本形状は一例であって、実際の形状はこれに限るものではない。
【００２４】
まず、本収納ケース１０は、卵トレイ１１を収納できる大きさである。卵トレイ１１は、図３ａの配置で通常使用し、複数設けられている卵トレイ穴１５に卵３０又は卵パック３１の下方突起部分３２を収納し保持する。
【００２５】
また、図３ｂに示すように、卵トレイ１１の上下の面を逆にして設置することで、卵以外の他の小物食品、例えば１９０mlの缶飲料等を引き出さなくても取り出し可能となる。
【００２６】
次に、収納ケース１０の配置位置の例を図４に示す。図４に示すように、収納ケース１０は冷蔵室内（収納部６）の棚８０の形成する収納空間であれば、使用者の意図する自在な位置に配置可能である。
【００２７】
また、近年の扉収納容器１００は、奥行き寸法が大きい傾向であり、収納ケース１０を収納するのに十分な大きさのものが多い。よって、図４に示すように扉収納容器１００に収納ケース１０を収納することもできる。
【００２８】
先に説明したとおり収納ケース１０は、保持し易くするための縦長の把持部１６を備える。また、把持部１６が備えられる前壁１７は、複数の棚８０の間隔に収まる高さとし、保持しやすくするため把持部１６は可能な限り大きく形成することが望ましい。
【００２９】
本実施例によれば、例えば図４のように把持部を手前に配置すれば、缶飲料など重いものが収納されていたとしてもスムーズに持ち運びができ、収納部内、および収納部外へ自在に配置できる。
【００３０】
また、卵トレイ１１を図３ｂのように、上下の面を逆にすることで、収納ケース１０と卵トレイ１１の隙間の空間をなくすことができ、卵以外の食品を収納する際に効率よく収納することが可能となる。
【００３１】
さらに、収納ケース１０を図５の符号ａのような通常の配置、符号ｂのような横向き配置、符号ｃのような前後逆向きの配置にすれば、側壁１９，２０及び後壁１８の壁面が低い部位から直接卵や食品を取り出すことができ、収納ケース１０を引き出すという動作が不要で利便性の向上が図れる。
【００３２】
上記のように、把持部１６を手前に向けて設置すれば、収納ケース１０を持ち易くなるため収納ケース１０の移動が容易となり、貯蔵室内の各棚上に設置することが可能となる。
【００３３】
また、卵トレイ１１の上下の面を逆にして収納ケース１０に設置することで、卵以外の小物食品を収納する際の無効空間が無くなり、また大きな凹陥部が無くなるので安定して小物食品を収納することが可能となる。
【００３４】
また、収納ケース１０を横向き或いは前後逆向きに設置することで、収納ケースを取り出すことなく壁面の低い箇所から収納物を取り出すことが可能となるので、壁面に指が接触して取り出し難くなるのを抑制できる。
【００３５】
なお、図６には比較例の収納ケースを示す。この収納ケース１０ａは、当初検討段階で製作したものである。この比較例の場合。把持部を有する壁面上端から設置面までの高さ寸法は、３５０mlの缶飲料と略同等寸法の１２０mmとし、この把持部を有する壁面と連続して設けられた両側面の壁面の高さ寸法も１２０mmとした。このように把持部を有する壁面の高さと両側面の壁面の高さを同じにしたのは、収納ケース１０ａの移動時に収納物が落下することを考慮したためである。しかし、この場合は、棚の下の収納空間から大きく引き出さないと収納物が取り出し難い点が残る。
【００３６】
以上より、本発明は、冷蔵庫の各所に設置可能で、且つ大きく引き出さなくても収納物を取り出し易い収納ケースを備えることで、使い勝手の向上した冷蔵庫を提供することができる。
【符号の説明】
【００３７】
１  冷蔵庫
２  冷蔵庫筺体
３  開放部
４  開閉扉
５  仕切り板
６  収納部
７  ヒンジ機構
８  内部面
１０  収納ケース
１１  卵トレイ
１５  卵トレイ穴
１６  把持部（取っ手）
１７  前壁
１８  後壁
１９，２０  側壁
３０  卵
３１  卵パック
３２  卵パック下方突起部分
３５  缶飲料
８０  棚
１００  扉収納容器
１０１  バスケット
１１０  ポケット
【図１ａ】
2012032068.tif 000003
【図１ｂ】
2012032068.tif 000004
【図２】
2012032068.tif 000005
【図３ａ】
2012032068.tif 000006
【図３ｂ】
2012032068.tif 000007
【図４】
2012032068.tif 000008
【図５】
2012032068.tif 000009
【図６】
2012032068.tif 000010